(57)【要約】  【課題】  ２以上のワンタッチキーを手間をかけずに検索して送信することができる通信装置を提供することである。  【解決手段】  ファクシミリ装置１０は、登録された宛先に送信するワンタッチキーと、検索のための文字列が入力操作され、検索した結果を表示し、表示されたワンタッチキーの中から２以上のワンタッチキーが選択できる操作表示部１４と、前記ワンタッチキーの中から前記文字列を含むワンタッチキーを検索するＣＰＵ１１と、操作表示部１４で選択されたワンタッチキーの宛先にデータを送信する網制御部２２とを備えた構成とする。【選択図】      図１
2005198352.tif 000002
【特許請求の範囲】
【請求項１】
登録された宛先に送信するワンタッチキーを有する通信装置において、
検索のための文字列が入力操作される第１の操作手段と、
前記ワンタッチキーの中から前記文字列を含むワンタッチキーを検索する検索手段と、
該検索した結果を表示する表示手段と、
該表示手段に表示されたワンタッチキーの中から２以上のワンタッチキーが選択できる選択手段と、
該選択手段で選択されたワンタッチキーの宛先にデータを送信する送信手段とを備えたことを特徴とする通信装置。
【請求項２】
前記選択手段は、前記表示手段に表示されたワンタッチキーの中から、１以上の所望の数のワンタッチキーが選択できることを特徴とする請求項１に記載の通信装置。
【請求項３】
検索するワンタッチキーの種別が入力操作される第２の操作手段をさらに備え、
前記検索手段は、前記第２の操作手段に前記種別が入力されたときは、前記文字列を含むとともに該種別に属するワンタッチキーを検索することを特徴とする請求項１または請求項２に記載の通信装置。
【請求項４】
前記種別は、ワンタッチダイヤル、プログラムダイヤル、グループダイヤル、及びワンタッチキー番号の範囲のうちの何れかであることを特徴とする請求項３に記載の通信装置。
【請求項５】
前記文字列は、宛先の番号または名称または電子メールアドレス、またはこれらの一部分であることを特徴とする請求項１〜請求項４の何れかに記載の通信装置。
【請求項６】
前記通信装置は、ファクシミリ装置、インターネットファクシミリ装置、又はネットワークに接続可能な画像形成装置であることを特徴とする請求項１〜請求項５の何れかに記載の通信装置。
【発明の詳細な説明】
【技術分野】
【０００１】
本発明は、登録された宛先に送信可能なワンタッチキーを有する通信装置に関するものである。
【背景技術】
【０００２】
従来ファクシミリ装置には、１つのキー操作で予め登録された宛先へのファクシミリ送信動作が開始されるワンタッチキーが設けられている。このワンタッチキーはその機能により一般的に以下の３つの種別に分類される。第１に、登録されている宛先にダイヤルするワンタッチダイヤル、第２に、登録されている通信設定に従って宛先にダイヤルするプログラムダイヤル、第３に、登録されている複数の宛先に順番にダイヤルするグループダイヤルがある。なお、通信設定には伝送速度の設定や暗号通信するか否かの設定等がある。
【０００３】
そして、ワンタッチキーに登録されている所望の宛先に送信したい場合、登録されている全てのワンタッチキーの中から所望のワンタッチキーを探すために、操作部を操作してディスプレイに表示された個々のワンタッチキーの登録内容を順番に探すか、又はワンタッチキーの登録内容をレポートとして記録紙に印刷して探す方法がとられている。
【０００４】
また、近年のインターネットの普及に伴い、インターネット機能を備えたインターネットファクシミリ装置やネットワークに接続可能な画像形成装置等の印刷手段を有した通信装置が開発されている。
【発明の開示】
【発明が解決しようとする課題】
【０００５】
しかしながら、多数のワンタッチキーの中から所望のものを探すには、従来のようにディスプレイに表示させて探すと非常に手間がかかり、また、記録紙に印刷しても探す手間がかかり記録紙も多量に消費してしまう。また、人が探すという行為により検索漏れが生じる可能性もある。
【０００６】
本発明は、上記の問題点に鑑み、所望のワンタッチキーを手間をかけずに検索して送信することができる通信装置を提供することを目的とする。
【課題を解決するための手段】
【０００７】
上記目的を達成するために、本発明に係る通信装置は、登録された宛先に送信するワンタッチキーを有する通信装置において、検索のための文字列が入力操作される第１の操作手段と、前記ワンタッチキーの中から前記文字列を含むワンタッチキーを検索する検索手段と、該検索した結果を表示する表示手段と、該表示手段に表示されたワンタッチキーの中から２以上のワンタッチキーが選択できる選択手段と、該選択手段で選択されたワンタッチキーの宛先にデータを送信する送信手段とを備えたことを特徴とする。
【０００８】
このように、文字列で検索したワンタッチキーの中から２以上の宛先を選択して送信できるようにすることにより、２以上のワンタッチキーを手間をかけずに検索して送信することができる。
【０００９】
また前記選択手段は、前記表示手段に表示されたワンタッチキーの中から、１以上の所望の数のワンタッチキーが選択できることとしてもよい。そうすれば、表示されたワンタッチキーの中から、所望のワンタッチキーを手間をかけずに検索して送信することができる。
【００１０】
また本発明に係る通信装置は、検索するワンタッチキーの種別が入力操作される第２の操作手段をさらに備え、前記検索手段は、前記第２の操作手段に前記種別が入力されたときは、前記文字列を含むとともに該種別に属するワンタッチキーを検索することとしてもよく、この場合に前記種別は、ワンタッチダイヤル、プログラムダイヤル、グループダイヤル、及びワンタッチキー番号の範囲のうちの何れかであることとしてもよい。
【００１１】
また前記文字列は、宛先の番号又は宛先の番号の一部分、名称又は名称の一部分、或いは電子メールアドレス又は電子メールアドレスの一部分とすることができる。
【００１２】
また、前記通信装置は、ファクシミリ装置、インターネットファクシミリ装置、又はネットワークに接続可能な画像形成装置とすることができる。
【発明の効果】
【００１３】
本発明によれば、検索のための文字列が入力操作される第１の操作手段と、ワンタッチキーの中から入力された文字列を含むワンタッチキーを検索する検索手段と、該検索した結果を表示する表示手段と、該表示手段に表示されたワンタッチキーの中から２以上のワンタッチキーが選択できる選択手段と、該選択手段で選択されたワンタッチキーの宛先にデータを送信する送信手段とを備えることにより、２以上のワンタッチキーを手間をかけずに検索して送信することができる。
【発明を実施するための最良の形態】
【００１４】
図１は、本発明のファクシミリ装置の構成を示すブロック図である。１０はファクシミリ装置であり、１１はファクシミリ装置１０全体の動作を制御し、且つワンタッチキーを検索する検索手段としてのＣＰＵ、１２は各種制御プログラム等を記憶したＲＯＭ、１３は画像データ等を一時記憶するワーク用のＲＡＭ、１４はテンキーやタッチパネル等の操作手段及び選択手段と、液晶ディスプレイ等の表示手段からなる操作表示部である。
【００１５】
また、１５は原稿を読み取り画像データに変換するスキャナであり、１６はスキャナ１５に原稿がセットされたことを検出する原稿センサ、１７は画像データを記録紙に印刷するプロッタ、１８は送受信する画像データの符号化や復号化を行う圧縮復元部、１９はワンタッチキーの登録内容を記憶するメモリ、２０はファクシミリ原稿の送受信を制御する通信制御部、２１はモデム、２２は公衆電話網と接続される送信手段としての網制御部である。以下に、このファクシミリ装置１０において、所望のワンタッチキーを検索して送信するときの動作について説明する。
【００１６】
図２は、ファクシミリ装置１０の動作を示すフローチャートである。まず、ステップＳ３０において操作表示部１４が操作されて検索モードが選択されると、検索条件が入力できる画像を表示する。次に、ステップＳ３１へ進んで操作表示部１４が操作されて検索したい文字列の入力を待つ。なお、本明細書において、文字とは数字も含むものとし、文字列とは１文字も含むものとする。
【００１７】
ステップＳ３１において検索のための文字列が入力されると、ステップＳ３２へ進んでメモリ１９に登録されているワンタッチキーの中から、その入力された文字列を含むワンタッチキーを検索する。その後、ステップＳ３２からステップＳ３３へ進んで検索した結果を操作表示部１４に表示する。
【００１８】
図３は、検索モードにおいて検索した結果の画像４０の一例を示す図である。画像４０はファクシミリ番号を入力して検索した結果であり、検索したファクシミリ番号が３つのワンタッチキーに登録されていることがわかる。
【００１９】
次に、ステップＳ３３からステップＳ３４へ進んで操作表示部１４が操作されて所望の送信先のワンタッチキーが選択されるのを待つ。ステップＳ３４において所望のワンタッチキーが選択されると、ステップＳ３５へ進んで選択されたワンタッチキーの宛先にダイヤルし、データを送信する。
【００２０】
なお、ステップＳ３４において、ユーザは複数のワンタッチキーを選択することもでき、この場合、複数の宛先に順番にダイヤルして送信するグループダイヤルのような使い方ができる。例えば、検索モードにおいて文字列を「○×」として検索すると、図４に示す画像５０が検索結果として表示される。そして、ユーザが画像５０の中から所望のワンタッチキー、例えば、「○×商事」と「○×運輸」と「○×自動車」とを選択すると、ファクシミリ装置１０はその選択された３つの宛先に順番にデータを送信する。
【００２１】
このように、所望の１以上の宛先を選択して送信できるようにすることにより、グループダイヤルとして登録されていない宛先にも手間をかけずに送信することができる。
【００２２】
なお、検索条件としては、ファクシミリ番号や電話番号の一部分の数桁を入力してもよく、その場合は入力した番号を一部分に含むファクシミリ番号や電話番号が検索される。これは、送信先のファクシミリ番号や電話番号を完全に覚えていないときなどに有効に用いられる。
【００２３】
また他に、検索条件としては、ワンタッチキーに登録されている名称又は名称の一部分を入力してもよい。更に、検索条件としては、プログラムダイヤルに登録されている伝送速度や暗号通信が設定されているもので検索してもよい。
【００２４】
更に、検索条件としては、上記の文字列を入力することに加えて、図５のような検索する種別が選択できる画像６０を表示してもよい。このように、種別という検索条件を加えることにより、検索結果を更に絞ることができる。また、種別は複数個選択できるようにしてもよい。なお、種別とは、図５ではワンタッチキーを分類したワンタッチダイヤル、プログラムダイヤル、及びグループダイヤルとしたが、その他にもワンタッチキー番号の範囲等としてもよい。
【００２５】
なお、本実施の形態においては、ファクシミリ装置を例に説明したが、インターネットファクシミリ装置やネットワークに接続可能な画像形成装置等の通信装置としてもよい。このような通信装置では、検索条件として、電子メールアドレス又は電子メールアドレスの一部分を入力してもよい。
【図面の簡単な説明】
【００２６】
【図１】本発明のファクシミリ装置の構成を示すブロック図である。
【図２】本発明のファクシミリ装置の動作を示すフローチャートである。
【図３】検索モードにおいて検索した結果の画像の一例を示す図である。
【図４】検索モードにおいて検索した結果の画像の一例を示す図である。
【図５】検索モードにおいて検索する種別を選択する画像の一例を示す図である。
【符号の説明】
【００２７】
１０  ファクシミリ装置（通信装置）
１１  ＣＰＵ（検索手段）
１４  操作表示部（操作手段、表示手段、選択手段）
２２  網制御部（送信手段）
【図１】
2005198352.tif 000003
【図２】
2005198352.tif 000004
【図３】
2005198352.tif 000005
【図４】
2005198352.tif 000006
【図５】
2005198352.tif 000007